(57)【要約】【課題】可及的に薄寸であり且つ浮出し障害を回避可能であり乍らも当該構造的コネクタに対して加えられる所望負荷を担持すべく十分に強力であるという構造的コネクタを提供すること。【解決手段】第１および第２側部部材を接続する構造的コネクタは、実質的に平面的な第１フランジと、該第１フランジにおけるエンボス部とを有すると共に、上記第１フランジにおける上記エンボス部には第１および第２区画が形成され、上記第１区画は概略的に、上記実質的に平面的な第１フランジの頂面の上方の第１レベルであって上記第２区画が概略的に均一に延在するレベルとは異なる第１レベルまで概略的に均一に延在し、上記第１および第２区画は、上記第１区画の上記レベルから上記第２区画の上記レベルまで上記エンボス部が鋭く下降するという識別可能な遷移部分にて相互に対して接合されている。上記構造的コネクタには、上記第１フランジの近傍に第１部材を形成する屈曲部が作成可能であり、且つ、上記エンボス部は上記屈曲を通り上記第１部材内へと延在し得る。【選択図】図１
2008517188.tif 000002
【特許請求の範囲】
【請求項１】
第１構造部材および第２構造部材を接続する構造的コネクタであって、実質的に平面的な部分を備えた頂面を有する第１フランジであって、該第１フランジは該第１フランジに対して加えられる力が上記第１構造部材に対して伝達され得る如く上記第１構造部材に対して作用的に接続され、該第１フランジはまた該第１フランジに対して加えられる力が上記第２構造部材に対して伝達され得る如く上記第２構造部材に対して作用的に接続されるという第１フランジと、上記第１フランジにおけるエンボス部とを備え、上記第１フランジにおける上記エンボス部には第１および第２区画が形成され、上記第１区画は概略的に、上記第１フランジの上記実質的に平面的な部分の上記頂面の上方の第１レベルであって上記第２区画が概略的に均一に延在するレベルとは異なる第１レベルまで概略的に均一に延在し、上記第１および第２区画は、上記第１区画の上記レベルから上記第２区画の上記レベルまで上記エンボス部が下降するという識別可能な遷移部分にて相互に対して接合されている構造的コネクタ。
【請求項２】
当該構造的コネクタは、前記第２構造部材に対して加えられた力が当該第１部材に対して伝達されると共に当該第１部材を通過してから前記第１フランジに対し且つ該第１フランジを介して前記第１構造部材に伝達される如く上記第２構造部材および上記第１フランジに対して作用的に接続された第１部材であって、上記第１フランジは該第１フランジと上記第１部材との間における第１屈曲部にて上記第１部材に対して一体的に接続され且つ該第１部材から区別されるという第１部材を備え、上記第１フランジにおける前記エンボス部は上記第１屈曲部を通り上記第１部材内へと延在する請求項１記載の構造的コネクタ。
【請求項３】
当該構造的コネクタはハンガであり、該構造的コネクタの前記第１フランジは前記第１構造部材の頂面上に着座する第１頂部フランジであり、当該構造的コネクタの前記第１部材は、少なくとも部分的に上記第１構造部材の前面に当接して配設される第１後衛部材である請求項２記載の構造的コネクタ。
【請求項４】
当該構造的コネクタは、前記第１後衛部材に対して作用的に接続された第１側部部材であって前記第２構造部材に対して接続されているという第１側部部材を更に備えて成る請求項３記載の構造的コネクタ。
【請求項５】
当該構造部材は、前記第１後衛部材に対して作用的に接続された台座部材であって前記第２構造部材に対する担持表面を提供するという台座部材を更に備えて成る請求項３記載の構造的コネクタ。
【請求項６】
当該構造的コネクタは、前記第１側部部材により前記第１後衛部材に対して作用的に接続された台座部材であって前記第２構造部材に対する担持表面を提供するという台座部材を更に備えて成る請求項４記載の構造的コネクタ。
【請求項７】
当該構造的コネクタを前記第１構造部材および前記第２構造部材に対して取付ける別体的な締結具を更に備えて成る請求項６記載の構造的コネクタ。
【請求項８】
前記第１構造部材は建築物の構造的フレームの一部である根太受けであり、且つ、前記第２構造部材は上記建築物の上記構造的フレームの一部である根太である請求項７記載の構造的コネクタ。
【請求項９】
前記エンボス部の前記第１区画のレベルは該エンボス部の前記第２区画のレベルよりも高位であり、且つ、上記エンボス部の上記第１区画は、前記第１フランジと前記第１部材との間における前記第１屈曲部に対して上記第２区画よりも近い請求項２記載の構造的コネクタ。
【請求項１０】
前記第１フランジには後縁部が作成され、且つ、上記第１フランジの前記エンボス部は、前記第１屈曲部と該第１フランジの上記後縁部との間の距離の相当部分に亙り延在する請求項２記載の構造的コネクタ。
【請求項１１】
前記第１フランジには後縁部が作成され、且つ、上記第１フランジの前記エンボス部は、前記第１屈曲部と該第１フランジの上記後縁部との間の距離に亙り延在する請求項２記載の構造的コネクタ。
【請求項１２】
当該構造的コネクタは、実質的に平面的な部分を備えた頂面を有する第２フランジであって、該第２フランジは該第２フランジに対して加えられる力が前記第１構造部材に対して伝達され得る如く上記第１構造部材に対して作用的に接続され、該第２フランジはまた該第２フランジに対して加えられる力が前記第２構造部材に対して伝達され得る如く上記第２構造部材に対して作用的に接続されるという第２フランジと、上記第２構造部材に対して加えられた力が当該第２部材に対して伝達されると共に当該第２部材を通過してから上記第２フランジに対し且つ該第２フランジを介して上記第１構造部材に伝達される如く上記第２構造部材および上記第２フランジに対して作用的に接続された第２部材であって、上記第２フランジは該第２フランジと上記第２部材との間における第２屈曲部にて上記第２部材に対して一体的に接続され且つ該第２部材から区別されるという第２部材と、上記第２フランジにおけるエンボス部であって上記第２屈曲部を通り上記第２部材内へと延在するエンボス部とを更に備え、上記第２フランジにおける上記エンボス部には第１および第２区画が形成され、上記第１区画は概略的に、上記第２フランジの上記実質的に平面的な部分の上記頂面の上方の第１レベルであって上記第２区画が概略的に均一に延在するレベルとは異なる第１レベルまで概略的に均一に延在し、上記第１および第２区画は、上記第１区画の上記レベルから上記第２区画の上記レベルまで上記エンボス部が下降するという識別可能な遷移部分にて相互に対して接合されている請求項２記載の構造的コネクタ。
【請求項１３】
当該構造的コネクタはハンガであり、該構造的コネクタの前記第１および第２フランジは前記第１構造部材の頂面上に着座する第１および第２頂部フランジであり、当該構造的コネクタの前記第１および第２部材は、少なくとも部分的に上記第１構造部材の前面に当接して配設される第１および第２後衛部材である請求項１２記載の構造的コネクタ。  
【請求項１４】
当該構造的コネクタは、前記第１後衛部材に対して作用的に接続された第１側部部材であって前記第２構造部材に対して接続されているという第１側部部材、および、前記第２後衛部材に対して作用的に接続された第２側部部材であって上記第２構造部材に対して接続されているという第２側部部材を更に備えて成る、請求項１３記載の構造的コネクタ。
【請求項１５】
当該構造的コネクタは、
前記第１および第２後衛部材に対して作用的に接続された台座部材であって前記第２構造部材に対する担持表面を提供するという台座部材を更に備えて成る請求項１３記載の構造的コネクタ。
【請求項１６】
当該構造的コネクタは、前記第１および第２側部部材により前記第１および第２後衛部材に対して作用的に接続された台座部材であって前記第２構造部材に対する担持表面を提供するという台座部材を更に備えて成る請求項１４記載の構造的コネクタ。
【請求項１７】
当該構造的コネクタを前記第１構造部材および前記第２構造部材に対して取付ける別体的な締結具を更に備えて成る請求項１６記載の構造的コネクタ。
【請求項１８】
前記第１構造部材は建築物の構造的フレームの一部である根太受けであり、且つ、前記第２構造部材は上記建築物の上記構造的フレームの一部である根太である請求項１７記載の構造的コネクタ。
【請求項１９】
前記第１および第２フランジにおける前記エンボス部の前記第１区画のレベルは該エンボス部の前記第２区画のレベルよりも高位であり、且つ、上記第１および第２フランジにおける上記エンボス部の上記第１区画は、前記第１および第２屈曲部に対して該エンボス部の上記第２区画よりも近い請求項１２記載の構造的コネクタ。
【請求項２０】
前記第１フランジには後縁部が作成されると共に前記第２フランジには後縁部が作成され、且つ、上記第２フランジの前記エンボス部は、前記第２屈曲部と該第２フランジの上記後縁部との間の距離の相当部分に亙り延在し、且つ、上記第１フランジの上記エンボス部は、前記第１屈曲部と該第１フランジの上記後縁部との間の距離の相当部分に亙り延在する請求項１２記載の構造的コネクタ。
【請求項２１】
前記第１フランジには後縁部が作成されると共に前記第２フランジには後縁部が作成され、且つ、上記第２フランジの前記エンボス部は、前記第２屈曲部と該第２フランジの上記後縁部との間の距離に亙り延在し、且つ、上記第１フランジの上記エンボス部は、前記第１屈曲部と該第１フランジの上記後縁部との間の距離に亙り延在する請求項１２記載の構造的コネクタ。
【請求項２２】
第１構造部材と、第２構造部材と、構造的コネクタであって、実質的に平面的な部分を備えた頂面を有する第１フランジであって、該第１フランジは該第１フランジに対して加えられる力が上記第１構造部材に対して伝達され得る如く上記第１構造部材に対して作用的に接続されるという第１フランジと、前記第２構造部材に対して加えられた力が当該第１部材に対して伝達されると共に当該第１部材を通過してから前記第１フランジに対し且つ該第１フランジを介して前記第１構造部材に伝達される如く上記第２構造部材および上記第１フランジに対して作用的に接続された第１部材であって、上記第１フランジは該第１フランジと上記第１部材との間における第１屈曲部にて上記第１部材に対して一体的に接続され且つ該第１部材から区別されるという第１部材と、上記第１フランジにおけるエンボス部であって上記第１屈曲部を通り上記第１部材へと延在するエンボス部とを有する構造的コネクタとを備え、上記第１フランジにおける上記エンボス部には第１および第２区画が形成され、上記第１区画は概略的に、上記第１フランジの上記実質的に平面的な部分の上記頂面の上方の第１レベルであって上記第２区画が概略的に均一に延在するレベルとは異なる第１レベルまで概略的に均一に延在し、上記第１および第２区画は、上記第１区画の上記レベルから上記第２区画の上記レベルまで上記エンボス部が下降するという識別可能な遷移部分にて相互に対して接合されている装置。
【請求項２３】
前記構造的コネクタはハンガであり、該構造的コネクタの前記第１フランジは前記第１構造部材の頂面上に着座する第１頂部フランジであり、上記構造的コネクタの前記第１部材は、少なくとも部分的に上記第１構造部材の前面に当接して配設される第１後衛部材である請求項２２記載の装置。
【請求項２４】
前記構造的コネクタは、前記第１後衛部材に対して作用的に接続された第１側部部材であって前記第２構造部材に対して接続されているという第１側部部材を更に備えて成る請求項２３記載の装置。
【請求項２５】
前記構造的コネクタは、前記第１後衛部材に対して作用的に接続された台座部材であって前記第２構造部材に対する担持表面を提供するという台座部材を更に備えて成る請求項２３記載の装置。
【請求項２６】
前記構造的コネクタは、前記第１側部部材により前記第１後衛部材に対して作用的に接続された台座部材であって前記第２構造部材に対する担持表面を提供するという台座部材を更に備えて成る請求項２４記載の装置。
【請求項２７】
前記構造的コネクタを前記第１構造部材および前記第２構造部材に対して取付ける別体的な締結具を更に備えて成る請求項２６記載の装置。
【請求項２８】
前記第１構造部材は建築物の構造的フレームの一部である根太受けであり、且つ、前記第２構造部材は上記建築物の上記構造的フレームの一部である根太である請求項２７記載の装置。
【請求項２９】
前記エンボス部の前記第１区画のレベルは該エンボス部の前記第２区画のレベルよりも高位であり、且つ、上記エンボス部の上記第１区画は、前記第１フランジと前記第１部材との間における前記第１屈曲部に対して上記第２区画よりも近い請求項２２記載の装置。
【請求項３０】
前記第１フランジには後縁部が作成され、且つ、上記第１フランジの前記エンボス部は、前記第１屈曲部と該第１フランジの上記後縁部との間の距離の相当部分に亙り延在する請求項２２記載の装置。
【請求項３１】
前記第１フランジには後縁部が作成され、且つ、上記第１フランジの前記エンボス部は、前記第１屈曲部と該第１フランジの上記後縁部との間の距離に亙り延在する請求項２２記載の構造的コネクタ。
【発明の詳細な説明】
【技術分野】
【０００１】
本発明は、建築物の如き構造体において２つの構造部材を相互に対して取付ける構造的コネクタであって該コネクタの各構成部材の内の少なくとも一方に形成されて該コネクタを強化する二段式エンボス部を有するという構造的コネクタに関する。
【０００２】
本発明の構造的コネクタは、両方が建築物の構造的フレームの一部であるという概略的に水平に配設された長寸の構造部材が支持構造から吊下されるという構造的ハンガの分野に対して特に適用される。
【背景技術】
【０００３】
フレームの構成に鑑みると、建築物の床部を支持する根太は、多くの場合にヘッダ、梁または根太掛けと称されて水平に配設された部材から吊下されることが一般的である。上記根太は、ヘッダ、梁または根太掛けに取付けられたハンガにより支持され得る。使用されるひとつの種類のハンガは、頂部フランジ式ハンガと称される。頂部フランジ式ハンガは、支持構造の頂面上に着座して接続の強度を高める部分もしくは部材を有する。
【特許文献１】なし
【非特許文献１】なし
【発明の開示】
【発明が解決しようとする課題】
【０００４】
遺憾乍ら、頂部フランジが存在すると、下張り床材を、根太およびヘッダおよび根太掛け上に設定することが阻害され得る。頂部フランジは、下張り床材が設置されるべき表面に凹凸を引き起こすのである。
【０００５】
木材で作成された部材または木製の下位構成要素を有する部材の収縮を許容すべく多くの場合に寸法許容差が見込まれるが、根太、ヘッダおよび根太掛けが所定位置に一旦設定されたならばこれらの部材の平面的な頂面は全てが均一なレベルとされて同一高度に設定されれば好適である。同様に好適には、使用される下張り床材は、合板または配向ストランドボードの如き比較的に薄寸である平面的な材料の大寸板材であってヘッダおよび根太掛けの面一な頂面上に布置されることで、表面床材を布置するための均一で平面的な表面に帰着し得るという大寸板材で作成される。
【０００６】
故に、根太掛け、ヘッダおよび根太の頂面のレベルの上方に突出する締結具、締結具ヘッドまたはハンガ構成要素の如き一切の部材の厚みを最小化することが望ましい。斯かる部材が表面床材の構造部材の最終的な最高レベルの上方に突出した場合、それらは、一般的に浮出し障害として知られる凹凸を下張り床材の表面に引き起こす。
【０００７】
故に、頂部フランジ式ハンガが使用される場合、頂部フランジの材料を可及的に薄寸とすることが望ましい。但し頂部フランジは依然として、ハンガに対して加えられる所望負荷を担持するに十分に強力とされねばならない。ハンガの頂部フランジを強化するひとつの手段は、ハンガの後衛部材内へと延在するエンボス部もしくは変形部をハンガ頂部フランジに形成することである。典型的な強化用の変形部またはエンボス部に伴う問題は、頂部フランジの過剰に多量の材料が過剰に大きな高さへと変形されることで浮出し障害を引き起こすことである。
【課題を解決するための手段】
【０００８】
本発明は、構造的コネクタの第１部材もしくはフランジに作成された強化用エンボス部を提供し、その場合に上記エンボス部の長さに沿い該エンボス部は、該エンボス部を形成する上記部材から異なる高さへと延在することにより上記部材に沿い累進的なもしくは区別的な強靱化を行う様に段状形成される。
【０００９】
本発明はまた、構造的コネクタの一対の第１および第２の部材もしくはフランジに作成された強化用エンボス部も提供し、その場合、上記第１および第２部材は屈曲ラインにて接合されると共に、上記強化用エンボス部は上記屈曲部を通り且つ該エンボス部の長さに沿い一方の部材から上記第２部材へと延在し、上記エンボス部は該実施例を形成する上記各部材の少なくとも一方から異なる高さへと延在する様に段状形成される。
【００１０】
本発明に従い作成された構造的コネクタは、少なくとも実質的に平面的である部分を有する頂面を有する実質的に薄寸である第１フランジを有する。上記第１フランジは、該第１フランジに加えられた力が第１構造部材に対して伝達され得る如く該第１構造部材に対して作用的に接続される。本発明に従い作成された構造的コネクタはまた、第２構造部材に対して加えられた力が当該第１部材に対して伝達されると共に当該第１部材を通過してから上記第１フランジに対し且つ該第１フランジを介して上記第１構造部材に伝達される如く上記第２構造部材および上記第１フランジに対して作用的に接続された第１部材も有する。上記第１フランジは該第１フランジと上記第１部材との間における第１屈曲部にて上記第１部材に対して一体的に接続され且つ該第１部材から区別される。本発明に従い作成された構造的コネクタは、上記第１フランジにおけるエンボス部であって上記第１屈曲部を通り上記第１部材内へと延在するエンボス部を有し、且つ、上記第１フランジにおける上記エンボス部には第１および第２区画が形成され、上記第１区画は概略的に、上記実質的に平面的な第１フランジの上記頂面の上方の第１レベルであって上記第２区画が概略的に均一に延在するレベルとは異なる第１レベルまで概略的に均一に延在し、上記第１および第２区画は、上記第１区画の上記レベルから上記第２区画の上記レベルまで上記エンボス部が下降するという識別可能な遷移部分にて相互に対して接合されている。上記遷移部分は、上記第１区画が上記第２区画のレベルへと鋭く下降する様に急峻であることが好適である。これにより上記遷移区画は容易に視認されることから、当該部品に対して上記深底区画が十分な剛性を提供すべく十分に遠位まで延在するが浮出し障害を引き起こすほどに過剰には遠位に延在しないことを確実とすべく、部品がチェックされ得る。
【００１１】
本発明の特定の目的は、支持部材から構造部材を支持する構造的ハンガであって、その場合に該構造的ハンガには上記支持部材の頂面上に着座する頂部フランジが作成され、且つ、該ハンガの上記頂部フランジには、該ハンガの上記頂部フランジの側面視輪郭を最小化し乍ら該構造的ハンガの強度を高める強化用変形部が形成されるという構造的ハンガを提供するに在る。
【００１２】
本発明の更なる目的は、支持部材から構造部材を支持する構造的ハンガであって、その場合に該構造的ハンガには上記支持部材の頂面上に着座する一対の頂部フランジが作成され、且つ、該ハンガの上記頂部フランジには、該ハンガの各頂部フランジの側面視輪郭を最小化し乍ら該構造的ハンガの強度を高める強化用変形部が形成されるという構造的ハンガを提供するに在る。
【００１３】
本発明の更なる目的は、上記構造的コネクタの上記エンボス部の上記第１区画のレベルは、上記第１フランジの上記頂面の上方にて、上記エンボス部の上記第２区画のレベルよりも高位であり、且つ、高い方の第１レベルは上記第１フランジと上記第１部材との間の上記屈曲部に対して上記第２区画よりも接近していることを実現するに在る。本発明者等は、第１構造部材または支持構造部材の縁部の近傍で更に高位であり、その後に高さが減少するが頂部フランジの相当の距離に亙り延在し続けるというエンボス部は、下張り床材の布置に対する干渉を最小限とし乍ら、軽量ゲージ鋼鉄で作成された構造的ハンガに対して十分な強度を提供し得るということを見出した。
【００１４】
本発明の更なる目的は、頂部フランジを強化する二段式のもしくは段状形成されたエンボス部であって上記頂部フランジの長さに亙りまたは実質的に該頂部フランジの長さに亙り延在するエンボス部を備えた頂部フランジ式ハンガを提供するに在る。
【００１５】
本発明の更なる目的は、釘またはボルトの如きヘッド付き締結具を以て当該コネクタが接続を行う各構造部材に対して取付けられるコネクタであって、これらの締結具を用いて接続されたときに該締結具の軸部は上記コネクタおよび構造部材により受容され且つ上記締結具のヘッドは上記コネクタに接触して当接し、且つ、本発明の二段式エンボス部も有する上記コネクタの部分において上記締結具のヘッドの頂面は、本発明の上記エンボス部の最深区画の最高レベルの実質的に上方には延在せず、且つ、好適には該最高レベルと同一レベルもしくはその下方であるというコネクタを提供するに在る。
【００１６】
本発明の更なる目的は、その単一もしくは複数の頂部フランジにおいて低い側面視輪郭の強化用変形部を備えた頂部フランジ式ハンガであって、二次的もしくは最終的な屈曲操作を必要とせずに全自動の金型プレス加工機上で鋼板材料から形成され得るという頂部フランジ式ハンガを提供するに在る。
【００１７】
本発明の更なる目的は、溶接される必要がないことから当該頂部フランジ式ハンガを腐食から保護すべく塗装される必要がないという亜鉛メッキ鋼板またはステンレス鋼から作成された頂部フランジ式ハンガを提供するに在る。
【発明の効果】
【００１８】
本発明に依れば、可及的に薄寸であり且つ浮出し障害を回避可能であり乍らも当該構造的コネクタに対して加えられる所望負荷を担持すべく十分に強力であるという構造的コネクタが提供され得る。
【発明を実施するための最良の形態】
【００１９】
図１に示された如く、本発明の好適実施例において頂面２および前面３を有する支持構造すなわち第１構造部材１は、該支持構造１の前面３に対して所定角度にて構造的ハンガ５により配設された被支持構造すなわち第２構造部材４を支持する。本発明において上記支持構造の頂面２および前面３は、縁部６にて交わる。
【００２０】
図１に示された如く本発明の好適実施例において構造的ハンガ５には、被支持部材４を受容して該被支持部材４に対する担持表面を提供する台座部材７が形成される。
【００２１】
図２に示された如く本発明の好適形態において構造的ハンガ５には、台座部材７に対して接続されて被支持部材４を安定化すべく横方向に離間された第１および第２の側部部材８および９も形成される。本発明の好適形態において側部部材８および９は台座部材７を支持する。
【００２２】
本発明の好適形態において側部部材８および９は、第２の被支持構造部材４の側面であって実質的に垂直に配設された側面３０と接触する。
【００２３】
図２に示された如く構造的ハンガ５の好適形態において、第１および第２後衛部材１０および１１は側部部材８および９と対合され、第１後衛部材１０は第１側部部材８に対して接続され且つ第２後衛部材１１は第２側部部材９に対して接続されている。
【００２４】
構造的ハンガ５には、側部部材８および９の一方もしくは両方に対して接続された単一個のみの後衛部材が形成されるという本発明の他の代替実施例が可能である。好適実施例において後衛部材１０および１１は側部部材８および９に関して台座７から離間して配設されるが、後衛部材１０および１１は側部部材８および９の内方に屈曲されて台座７の上方に配設され得る。
【００２５】
図１に示された如く本発明の好適形態において第１および第２後衛部材１０および１１は、支持構造１の前面３と少なくとも部分的に接触する。
【００２６】
図１に示された如く本発明の好適形態において第１および第２後衛部材１０および１１は支持構造１の縁部６の近傍にて該支持構造１の前面３と接触し、且つ、該後衛部材の全長に沿い支持構造１の上記前面と接触する。
【００２７】
図１に示された如く本発明の好適形態において、第１頂部フランジ１２は第１後衛部材１０に対して接続され、第２頂部フランジ１３は第２後衛部材１１に対して接続され、且つ、第１および第２頂部フランジ１２および１３は支持構造１の頂面２上に着座する。好適実施例において第１および第２頂部フランジ１２および１３は、頂面２８および２９を夫々有すべく実質的に平面的である。
【００２８】
構造的ハンガ５には、後衛部材１０および１１の一方もしくは両方に対して接続された単一個のみの頂部フランジが形成されるという本発明の他の代替実施例が可能である。好適実施例において頂部フランジ１２および１３は側部部材８および９に関して台座７から離間して配設されるが、頂部フランジ１２および１３は側部部材８および９の内方に屈曲されて台座７と更に整列して配設され得る。
【００２９】
図１に示された如く本発明の好適形態において第１および第２側部部材８および９は台座部材７から実質的に頂部フランジ１２および１３の高度まで延在することにより、被支持部材すなわち第２構造４の実質的に全高に沿い該第２構造に対する側方支持部を提供する。好適実施例において上記被支持構造の高さは、頂部フランジ１２および１３から台座７に向けて測定して、構造的コネクタすなわちハンガ５の深度と実質的に同一である。
【００３０】
本発明の好適形態において支持部材１の頂面２および前面３は、相互に対して直交して配設される。故に本発明の好適形態においてハンガ５の後衛部材１０および１１の頂部部分は、ハンガ５の頂部フランジ１２および１３に対して直交して配設される。ハンガ５の好適形態において頂部フランジ１２および１３は、狭い半径の直交屈曲部である第１および第２屈曲部１４および１５にて、後衛部材１０および１１に対し結合される。
【００３１】
第１および第２屈曲部１４および１５において構造的ハンガ５の剛性を増進するために、第１および第２後衛部材１０および１１および第１および第２頂部フランジ１２および１３の材料においては、第１および第２屈曲部１４および１５を貫通延在する第１および第２エンボス部１６および１７が形成される。エンボス部１６および１７は、頂部フランジ１２および１３と後衛部材１０および１１との間において屈曲部１４および１５を強靱可することで、被支持構造４すなわち根太の移動に帰着し得るという屈曲部１４および１５における撓曲を阻止する。
【００３２】
図１、図４、図５および図６に示された如く好適実施例においてエンボス部１６および１７は段状形成され、すなわち、頂部フランジ１２および１３において作成された二つの段状部を有する。エンボス部１６および１７の頂部フランジ部分は、構造的ハンガ５の頂部フランジ１２および１３の側面視輪郭を減少すべく段状形成される。
【００３３】
エンボス部１６および１７の頂部フランジ部分には各々、相互に接続された２つの別個の区画、すなわち深底もしくは第１区画１９および浅底もしくは第２区画２０が形成される。各区画１９または２０は、頂部フランジ１２または１３の材料を該頂部フランジ１２または１３の頂面２８または２９の上方の概略的に均一な高さまたはレベルまで変形することにより形成される。区画１９および２０は急峻遷移領域２７により分割され、其処で深底もしくは第１区画１９のレベルは急激に浅底もしくは第２区画２０のレベルまで下降し、２つの段状部または段部を形成する。
【００３４】
各深底区画１９は頂部フランジ１２および１３に対する大きな強靱可を提供する、と言うのも、頂部フランジ１２および１３の材料は相当程度まで変形されるからである。好適実施例においてエンボス部１６および１７の深底区画１９を作成すべく使用される頂部フランジ１２および１３の材料は、該部材の材料厚みの１．５倍だけ変位される。同様に、好適実施例において第２区画２０を作成すべく使用される頂部フランジ１２および１３の材料は該部材の材料厚みの０．５倍だけ変位される。
【００３５】
図２に示された如くエンボス部１６および１７の頂部フランジ部分は、屈曲部１４および１５から頂部フランジ１３および１２の後縁部２１および２２まで延在し得るか、または、実質的に長さの大部分であるが頂部フランジ１２および１３の一部のみに対して延在し得る。エンボス部１６および１７を頂部フランジ１２および１３の後縁部２２および２１まで延在させることが好適であるが、本発明の好適形態においてエンボス部１６および１７の幾つかは後縁部２２および２１の手前で停止して締結具２４の載置を許容することにより、締結具２４と組み合わされた頂部フランジ１２および１３の側面視輪郭を最小化し得る。好適実施例においては第１および第２頂部フランジ１２および１３に釘用開口３１が配備されることから、設置者は、第１構造部材１が分裂するのを阻止すべく釘を位置決めすると共に、頂部フランジ１３および１２の側面視輪郭を最小化すべくエンボス部１６および１７に関して締結具２４を位置決めすることが助力される。
【００３６】
図２および図４に示された如く、エンボス部１６および１７の深底区画１９は、構造的ハンガ５が荷重下で最も撓曲し易い箇所にて屈曲部１４および１５に接近して配設される。
【００３７】
同様に図２に示された如くエンボス部１６および１７の深底区画１９は、頂部フランジ１２および１３の側面視輪郭を最小化するために、屈曲部１４および１５から選択距離だけ延在する。本発明の好適実施例において、エンボス部１６および１７の深底区画１９は屈曲部１４および１５から１．９０５ｃｍ（０．７５インチ）だけ延在し、且つ、頂部フランジ１２および１３の後縁部２１および２２は屈曲部１４および１５から６．３５ｃｍ（２．５インチ）の箇所に設定される。本発明者等は、１４ゲージの板金ハンガが使用され、エンボス部１６および１７の深底区画１９は当該部材の材料厚みの１．５倍であり、エンボス部１６および１７の第２区画２０は当該部材の厚みの０．５倍であり、頂部フランジ１２および１３を支持構造１に対して取付けるために使用される締結具２４は一般的な１６ペニー釘であり、且つ、エンボス部１６および１７の第２区画２０が締結具２４のいずれにも遭遇しなければ該エンボス部１６および１７は頂部フランジ１２および１３の後縁部２１および２２まで延在することが許容され且つ遭遇する場合には締結具２４との重複の手前で停止するという場合には、エンボス部１６および１７の深底区画１９を屈曲部１４および１５から約１．９０５ｃｍ（約０．７５インチ）だけ延在させても浮出し障害は引き起こされないことを見出した。図２に示された如く、好適実施例の各頂部フランジ１２または１３には３個の釘用開口３１および３個のエンボス部１６または１７が配備される。
【００３８】
図２および図４に示された如く好適実施例において、後衛部材１０および１１におけるエンボス部１６および１７の深度は、頂部フランジ１２および１３におけるエンボス部１６および１７の深底区画１９の深度と同一である。
【００３９】
図２に示された如くエンボス部１６および１７の後衛部材部分は、屈曲部１４および１５から可変距離で延在し得る。好適実施例においてエンボス部１６および１７の後衛部材部分は屈曲部１４および１５から２．５４ｃｍ〜６．０３２５ｃｍ（１インチ〜２．３７５インチ）だけ延在する。
【００４０】
エンボス部１６および１７は好適には０．９５２５ｃｍ〜０．６３５ｃｍ（０．３７５インチ〜０．２５インチ）幅であり、且つ、好適には頂部フランジ１２または１３の各々に複数のエンボス部１６または１７が配備される。これによれば複数のエンボス部１６および１７の間における締結具２４の適切な間隔が許容され、該エンボス部の幾つか、好適には２つは、エンボス部１６または１７を貫通して締結具２４が打ち込まれない様に比較的に狭幅な頂部フランジ１２および１３において該頂部フランジ１２または１３の全長に亙り延在する。
【００４１】
図７に示された如く本発明の構造的ハンガ５を形成する好適方法においてエンボス部１６および１７は、素材１８が屈曲部１４および１５に沿い屈曲される前に、該素材に形成される。
【００４２】
エンボス部１６および１７は、雌開口内へと受容される雄パンチにより作成される。各エンボス部１６もしくは１７の頂部フランジ部分および後衛部材部分を作成するために、同一の雄パンチが用いられる。また、各エンボス部１６または１７の深底区画１９および第２区画２０を作成するために、２つの異なる高さを以て加工された同一の雄パンチも使用される。
【００４３】
各雄パンチに対する対応雌開口は、各エンボス部１６または１７の第２区画２０の高さを整合させることで、エンボス部１６または１７を形成する材料が該エンボス部１６または１７の第２区画２０に対する選択高さの上方に延在することを防止すべく、特別に形状化されることが好適である。上記雌開口は、エンボス部１６または１７の深底区画１９が上記選択高さを超過しないことを確実とすべく該深底区画を収容する様に特別に製造される必要は無い。
【００４４】
エンボス部１６および１７の上記頂部フランジ部分を２つの別個の段状部もしくは区画を以て形成することにより、強度が必要とされる屈曲部１４および１５の近傍にては強力な深底区画１９を作成すべく自動化された金型プレス加工機が使用され得ると共に、強度がそれほど重要でなく且つ上記頂部フランジの高さもしくは側面視輪郭を最小化することが更に重要であるべく厳密に制御された第２区画２０は屈曲部１４および１５から更に離間して作成され得る。これにより、各部材間の均一性、屈曲部１４および１５における剛性、および、縁部２２および２１の近傍にて十分に強力であるが一貫して薄寸の頂部フランジ部分が確実とされる。
【００４５】
屈曲部１４および１５が上記素材に形成されるとき、該屈曲部１４および１５を作成する雄型パンチには、エンボス部１６および１７の後衛部材部分、および、該エンボス部１６および１７の頂部フランジ部分の深底区画２０の選択高さにて隆起支持部が形成されることで、上記エンボス部が屈曲部１４および１５の回りで崩壊することが阻止される。
【００４６】
図１に示された如くハンガ５の好適形態において側部部材８および９には、締結具２４を被支持構造４内へと打ち込むための傾斜釘用開口２３が配備される。
【００４７】
同様に図１および図８に示された如く、側部部材８および９を介して第２構造部材４内へと打ち込まれる付加的な締結具２４を受容すべく、側部部材８および９には付加的開口２５が形成され得る。
【００４８】
図１に示された如く本発明の好適実施例において構造的コネクタ５を第１および第２構造部材１および３に対して接続すべく使用される締結具２４は、別体的な締結具であり、詳細には、達成されることが所望される負荷に対して適切に寸法設定された釘である。但し、ネジ、ボルトおよび接着剤の如き他の締結具が使用され得る。構造的コネクタ５はまた、それが亜鉛メッキされていなければ、第１および第２構造部材１および３に対して溶接もされ得る。また構造的コネクタ５には、釘突起部の如き一体的な締結具も形成され得る。
【００４９】
図３に示された如く本発明の好適実施例において後衛部材１０および１１は、該後衛部材１０および１１の頂部の近傍および屈曲部１４および１５の近傍に複数の釘用開口２６を備えている。本発明の好適実施例において後衛部材１０および１１は、それらが屈曲部１４および１５に接近する箇所で更に広幅である。締結具２４は、後衛部材１０および１１を貫通して被支持構造３内へと打ち込まれる。同様に図１および図３に示された如く後衛部材１０および１１は該後衛部材１０および１１の底部の近傍にて、構造的コネクタ５が担持し得る負荷を高めるべく付加的な締結具２４を受容し得る釘用開口３２も形成される。
【００５０】
本発明の好適実施例において、各後衛部材１０および１１におけるエンボス部１６および１７の少なくとも一方は、該後衛部材１０および１１の頂部の近傍および屈曲部１４および１５の近傍にて複数の釘用開口２６のレベルの下方に延在する。偏向力は、後衛部材１０および１１の頂部の近傍にてこれらの釘用開口２６内に載置された一群の締結具２４の回りで最大である。本発明の好適実施例において後衛部材１０および１１の頂部の近傍における複数の釘用開口２６は屈曲部１４および１５から約６．０３２５ｃｍ（２．３７５インチ）であるが、好適実施例の如く比較的に軽いゲージの金属コネクタ１に対し、エンボス部１６および１７は、屈曲部１４および１５と該屈曲部１４および１５の近傍の締結具２４とにおける偏向力に抗してコネクタ１を強化すべく屈曲部１４および１５から１０．１６ｃｍ（４インチ）も延在し得る。
【００５１】
被支持構造４および支持構造３に対する材料の幾つかの例としては、中実の鋸引き木材、加工された木材製品、積層製材、構造的複合製材、複合“Ｉ”ビーム、トラス、ステンレス鋼部材、および、上記に列挙された種々の形式の多層部材が挙げられ、好適な材料は建設されつつある建築物の構造的要件に依存するが、概略的には、被支持構造４に対しては複合“Ｉ”ビームであり且つ支持構造３に対しては構造的複合製材または中実の鋸引き製材である。上記構造的ハンガを上記支持部材に対して接続するために釘またはネジの如き締結具が使用される場合、上記支持部材は、当該“Ｉ”ビームの頂部に木材製の釘用部材を備えた鋼鉄製の“Ｉ”ビームとされ得る。
【００５２】
台座７、側部部材８および９、後衛部材１０および１１、および、頂部フランジ１２および１３は、種々のサイズで作成され得る。
【００５３】
好適実施例において構造的ハンガ５は１４ゲージの亜鉛メッキ板金（亜鉛メッキの種類に依存して約０．１９８ｃｍ〜０．２０３ｃｍ［約０．０７８インチ〜０．０８０インチ］の厚み）から作成されるが、本発明の二重の二段式エンボス部はこの特定ゲージに限定されるべきでない。２０ゲージもの薄さの材料および７ゲージもの厚さの材料である板金から作成された構造的ハンガは、本発明の二段式エンボス部から利益を得るであろう。
【図面の簡単な説明】
【００５４】
【図１】支持構造上に取付けられて一対の“Ｉ”形状根太である被支持構造を保持する本発明の構造的ハンガの斜視図である。
【図２】本発明の構造的ハンガの斜視図である。
【図３】本発明の構造的ハンガの前面図である。
【図４】本発明の構造的ハンガの側面図である。
【図５】本発明の構造的ハンガの頂部平面図である。
【図６】本発明の構造的ハンガの底部平面図である。
【図７】本発明の構造的ハンガを形成し得る板金素材の平面図である。
【図８】支持構造上に取付けられて被支持構造を保持する本発明の構造的ハンガの斜視図である。
【符号の説明】
【００５５】
１  第１構造部材／支持部材
２  頂面
３  前面
４  第２構造部材／被支持部材
５  構造的ハンガ／構造的コネクタ
６  縁部
７  台座部材
８  第１側部部材
９  第２側部部材
１０  第１後衛部材
１１  第２後衛部材
１２  第１頂部フランジ
１３  第２頂部フランジ
１４  第１屈曲部
１５  第２屈曲部
１６  第１エンボス部
１７  第２エンボス部
１８  素材
１９  深底区画／第１区画
２０  浅底区画／第２区画
２１、２２  後縁部
２３  傾斜釘用開口
２４  締結具
２５  付加的開口
２６  釘用開口
２７  急峻遷移領域
２８  頂面
２９  頂面
３０  側面
３１  釘用開口
３２  釘用開口
【図１】
2008517188.tif 000003
【図２】
2008517188.tif 000004
【図３】
2008517188.tif 000005
【図４】
2008517188.tif 000006
【図５】
2008517188.tif 000007
【図６】
2008517188.tif 000008
【図７】
2008517188.tif 000009
【図８】
2008517188.tif 000010